(57)【要約】      （修正有）【課題】光ファイバー表示スクリーンの構造改良を提供する。【解決手段】本考案は、光ファイバー表示スクリーンの構造改良に関し、該光ファイバー表示スクリーンは、複数のブロック状の光ファイバー１がステッチング結合されてなり、且つ各光ファイバーは、それぞれ複数の光ファイバーロッド１１を含み、順に堆積配列組み合わせされ、熱溶融加工によって結合成型され、即ち、ブロック状の光ファイバーの２つの隣り合う外側辺に結合部１２を設け、２つの隣り合う光ファイバーの２つの外側辺を相対してステッチングさせることができ、縦、横方向に緊密に配列組み立てして所定寸法の表示スクリーンに成型し、外部にフレームを結合し、光ファイバー表示スクリーンに良好なイメージ表示効果をもたせ、光ファイバー表示スクリーンの表裏の表面の表示イメージの画質を更に立体的で明確にさせる目的を達する。【選択図】図１
0003214396.tif 000002
【実用新案登録請求の範囲】
【請求項１】
複数のブロック状の光ファイバーを含み、各光ファイバーは、複数の堆積状の光ファイバーロッドを含み、且つ各光ファイバーロッドは、順に堆積配列結合成型されてブロック状を呈する光ファイバー表示スクリーンの構造改良であって、
該光ファイバーは、堆積状光ファイバーロッドの２つの隣り合う外側辺に結合部を有し、且つ該各複数の光ファイバーがそれぞれ２つの隣り合う垂直側辺の各結合部を利用し、各隣り合う光ファイバーの各結合部が縦、横方向に順にステッチング結合されて光ファイバースクリーンを成型してなる光ファイバー表示スクリーンの構造改良。
【請求項２】
前記光ファイバーの結合部に凹陥する嵌合溝を設け、相対する２つの嵌合溝は、各光ファイバーの他の２つの隣り合う外側辺にそれぞれ他の光ファイバーの嵌合溝と位置合わせ嵌合、ステッチング結合される嵌合側を凸設する請求項１に記載の光ファイバー表示スクリーンの構造改良。
【請求項３】
前記各光ファイバーは、それぞれ２つの相対する外層光ファイバー板及び２つの外層光ファイバー板内部に位置して互い違いを呈する内層光ファイバー板を含み、該内層光ファイバー板の２つの垂直に隣り合う側辺に２つの外層光ファイバー板内側に凹陥する２つの隣り合う嵌合溝を形成し、内層光ファイバー板の他の２つの垂直に隣り合う側辺は、２つの外層光ファイバー板外部に突出して露出する２つの隣り合う嵌合側を形成する請求項１に記載の光ファイバー表示スクリーンの構造改良。
【考案の詳細な説明】
【技術分野】
【０００１】
本考案は、光ファイバー表示スクリーンの構造改良に関し、特に、複数の光ファイバーを利用し、ステッチング方式で成型した表示スクリーンであり、光ファイバー表示スクリーンの表裏の表面が何れもイメージを表示でき、側辺四面が光透過できる目的を達成する。
【背景技術】
【０００２】
多くの電子製品は、実際の応用時、表示スクリーンによって関連の情報、イメージ等を表示し、例えば、日常生活において、よく使用されるテレビスクリーン又はパソコンのスクリーン等であり、早期は、ＣＲＴスクリーンを採用し、体積が大きく、取り付け、運搬が容易でなく、表示イメージ品質が良好でない等の欠陥があり、早期に既に現代の軽薄型液晶スクリーン又はプラズマ式スクリーン等により取って代わられており、現在表示スクリーンを応用した電子製品、例えば、テレビスクリーン、パソコンスクリーン、タブレットスクリーン又はノート型パソコンスクリーン等、又は屋外で応用されるイメージを表示する大型スクリーン、テレビ壁又は電子看板等があり、多くは液晶スクリーン、プラズマスクリーン又は発光ダイオード（ＬＥＤ）スクリーン等のタイプを採用し、各式表示スクリーンのパネルは、ガラス又はアクリル等の材質を採用し、且つ何れも全体に既定の寸法の応用であり、異なる寸法の表示スクリーンパネルに対しては、ガラス又はアクリル等を必要な寸法規格に切断する必要があり、製造加工過程では、切断寸法の誤りによってスクリーンパネル全体が応用できなくなることを招き、製品歩留まりが悪化し、材料の損失による浪費も相当高くなり、コスト向上の要因となる。また、ガラス又はアクリルパネルを表示スクリーンに応用する場合、光線の屈折、反射又は拡散等の要因により、表示イメージの不鮮明又はぼやける等の状況を招き、実際の応用実施時、改善すべき多くの欠陥を有する。
【先行技術文献】
【特許文献】
【０００３】
【特許文献１】特開2010-244021号公報
【考案の概要】
【考案が解決しようとする課題】
【０００４】
本考案の目的は、該光ファイバー表示スクリーンは、複数のブロック状の光ファイバーがステッチング結合されてなり、各光ファイバーが複数の光ファイバーロッドが順に堆積配列結合され、更に熱溶融加工を経て結合成型され、即ち、ブロック状光ファイバーの各２つの隣り合う外側辺に結合部を有し、何れか２つの隣り合う光ファイバーの２つの外側辺を相対してステッチングさせることができ、所定寸法の表示スクリーンを組成し、表示スクリーンに良好なイメージ表示効果をもたせ、光ファイバー表示スクリーンの表裏の表面の表示イメージ画質を更に立体的で更にはっきりさせる目的を達成し、昼間に日光が表示スクリーン内側面に直接投射することを阻止でき、日光の直接照射により人体に対する日焼けを軽減し、物の品質の変化、損壊を招く等の欠陥の緩和作用を有し、夜間にイメージの表示スクリーン又は広告看板等とすることができ、多重の応用効果の目的を達成できるようにすることである。
【０００５】
本考案の目的は、該２つの相対する外層光ファイバー板内部の内層光ファイバー板が互い違いを呈して結合され、２つの外層光ファイバー板に位置する内層光ファイバー板の２つの垂直に隣り合う側辺に凹陥した嵌合溝を形成させ、内層光ファイバー板の他の２つの垂直に隣り合う側辺に２つの外層光ファイバー板外部に凸出して露出する嵌合側を形成させ、各光ファイバー板を成型した複数の光ファイバーロッドについては、各光ファイバーロッドの直径が０．２ｍｍ〜３ｍｍ等であることができ、且つバンドル状を呈する光ファイバー生地であることができ、所定の寸法長さに切断加工し、順に堆積配列される矩形状を呈する光ファイバー板とし、各光ファイバー生地は、３ｃｍ、３．５ｃｍ、４ｃｍ、４．５ｃｍ又は５ｃｍ等の各式所定の長さ寸法に加工切断されるようにすることである。
【課題を解決するための手段】
【０００６】
本考案の光ファイバー表示スクリーンの構造改良は、複数のブロック状の光ファイバーを含み、各光ファイバーは、複数の堆積状の光ファイバーロッドを含み、且つ各光ファイバーロッドは、順に堆積配列結合成型されてブロック状を呈する光ファイバー表示スクリーンの構造改良であって、該光ファイバーは、堆積状光ファイバーロッドの２つの隣り合う外側辺に結合部を有し、且つ該各複数の光ファイバーがそれぞれ２つの隣り合う垂直側辺の各結合部を利用し、各隣り合う光ファイバーの各結合部が縦、横方向に順にステッチング結合されて光ファイバースクリーンを成型してなる。
【考案の効果】
【０００７】
本考案の光ファイバー表示スクリーンは、複数のブロック状の光ファイバーがステッチング結合されてなり、各光ファイバーが複数の光ファイバーロッドが順に堆積配列結合され、更に熱溶融加工を経て結合成型され、即ち、ブロック状光ファイバーの各２つの隣り合う外側辺に結合部を有し、何れか２つの隣り合う光ファイバーの２つの外側辺を相対してステッチングさせることができ、所定寸法の表示スクリーンを組成し、表示スクリーンに良好なイメージ表示効果をもたせ、光ファイバー表示スクリーンの表裏の表面の表示イメージ画質を更に立体的で更にはっきりさせる目的を達成し、昼間に日光が表示スクリーン内側面に直接投射することを阻止でき、日光の直接照射により人体に対する日焼けを軽減し、物の品質の変化、損壊を招く等の欠陥の緩和作用を有し、夜間にイメージの表示スクリーン又は広告看板等とすることができ、多重の応用効果の目的を達成できる。
【図面の簡単な説明】
【０００８】
【図１】本考案の光ファイバーブロックの立体外観図である。
【図２】本考案の好適実施例の立体分解図である。
【図３】本考案の光ファイバーのもう１つの実施例の立体外観図である。
【図４】本考案のもう１つの好適実施例の立体分解図である。
【図５】本考案の好適実施例の正面分解図である。
【図６】本考案のもう１つの実施例の立体分解図である。
【図７】本考案のさらにもう１つの実施例の立体外観図である。
【考案を実施するための形態】
【０００９】
図１、図２を参照し、図から明確に分かるように、本考案の光ファイバー表示スクリーンは、複数のファイバー１を含む。
【００１０】
該光ファイバー１は、熱溶融加工を経て複数の堆積状の複数の光ファイバーロッド１１を含み、光ファイバー１一側の外側辺表面に結合部１２を形成し、それぞれ各光ファイバー１の２つの隣り合う垂直側辺の各結合部１２及び隣り合う光ファイバー１の各結合部１２と縦、横方向を呈して順に結合し、所定寸法の表示スクリーン２に加工成型する。
【００１１】
図３を参照し、本考案の複数の光ファイバー１は、結合部１２に相対する外層光ファイバー板１２１及び２つの外層光ファイバー板１２１内部に位置して互い違い状を呈する内層光ファイバー板１２２を加工切削形成し、内層光ファイバー板１２２の２つの垂直に隣り合う側辺に２つの外層光ファイバー板１２１内側に凹陥した２つの隣り合う嵌合溝１００を形成させ、内層光ファイバー板１２２の他の２つの垂直に隣り合う側辺に２つの外層光ファイバー板１２１外部に突出して露出する２つの隣り合う嵌合側１０１を形成させる。
【００１２】
図４、図５、図６、図７に示すように、本考案の光ファイバー表示スクリーンの複数のファイバー１の実際の組み立て、応用時、各光ファイバー１の２つの隣り合う垂直側辺の各嵌合溝１００を利用して隣り合う光ファイバー１の各嵌合側１０１と縦、横方向の順に嵌合、ステッチング結合して所定の寸法の表示スクリーン２に成型し、且つ複数の光ファイバー１は、横方向に配列を呈する数量が縦方向に配列を呈する複数の光ファイバー１の配列数量よりも多く、複数の光ファイバー１に６０インチ、７０インチ、８０インチ、９０インチ又は１００インチ等の各式所定規格の表示スクリーン２を成型させることができ、複数の隣り合う各光ファイバー１に所定規格の光ファイバー表示スクリーン２を嵌合成型した後、光ファイバー表示スクリーン２外部に相対する寸法のフレーム３を結合することができ、該フレーム３は、２つの隣り合う垂直内側に内凸縁３１を設け、光ファイバー表示スクリーン２の各光ファイバー１外側辺の嵌合溝１００に嵌合設置させ、フレーム３の２つの隣り合う側辺内側は、内嵌合溝３２を凹設し、光ファイバー表示スクリーン２の各光ファイバー１外側辺の嵌合側１０１を内嵌合溝３２に位置合わせして嵌合させ、フレーム３を光ファイバー表示スクリーン２の周辺と強固に結合させ、脱落し難くさせ、且つ該フレーム３は、金属材質、合金材質又は木材質等から形成されることができる。
【００１３】
複数の光ファイバー１から組成される光ファイバー表示スクリーン２は、その外部にフレーム３を結合した後、投影機のスクリーン、電子公告看板、テレビ壁又は屋外大型スクリーン等の応用モードとすることができ、電子装置設備の動作によって、且つ光ファイバー表示スクリーン２上の複数の光ファイバー１は、嵌合、ステッチングされて緊密配列を呈して結合され、光ファイバーの間の間隔が小さく、イメージが仕切られるか、又は断続イメージを発生する等の欠陥が生じ難く、且つ複数の光ファイバー１が成型する光ファイバー表示スクリーン２を直接既存のガラスドア上、ガラス窓上、防音ガラス上又は建築物のガラス外壁等に組み付けることができ、複数の光ファイバー１が呈するイメージが光ファイバー表示スクリーン２の二側表面によって表示されることができ、両面表示スクリーンの応用効果を形成し、可視角が全面的であり、表示スクリーン２の前後等異なる方向、異なる位置において、何れも光ファイバー表示スクリーン２上に標示されたイメージスクリーンを見ることができ、複数の光ファイバー１の屈折によってイメージが柔らかくなり、最適な目を刺激しないイメージ品質を呈現し、表示スクリーン２のイメージ表示作用を極めて良好に向上させ、予期し得ない効果を達成できる。
【００１４】
また、複数の光ファイバー１が組み立て、ステッチング成型された光ファイバー表示スクリーン２は、既存のガラスドア、ガラス窓、防音ガラス又は建築物ガラス外壁等の物体上に組み立てさせることができ、光ファイバー表示スクリーン２自身が給電を必要とせず、且つメンテナンスコストが低く、室内環境に応用して使用しない時、光ファイバー表示スクリーン２により日光が内側面に直接投射されることをブロックし、日光の直接照射が人体に対する日焼け又は物品の質的変化、損壊等の欠陥を招くことを軽減する作用を有し、昼間に光透過、採光等の効果を有する大きな面積の壁板を形成することができ、室外の光線が光ファイバー表示スクリーン２の複数の光ファイバー１一側面を透過して照射した後、もう１つの側面に投射すれば、光線を光ファイバー表示スクリーン２の他側に光透過照明効果を形成させることができ、補助室内の採光等の作用を有する目的を達成し、室内の昼間の明るさを高めることができ、室内が強烈な日光に曝されることがなく、人員又は室内の物品等の損傷を招くことがない。夜間は、大型の表示スクリーンとして動画、宣伝フィルムを再生させるか、広告看板等の機能をなすことができ、コストを節減する目的を達成し、その他の補助器材（例えば、サーチライト、支持構造または固定ロープ等）を使用する必要がなく、帆布式看板が強風、日照り、雨を受けて破損、色褪せ等を招く、即ち、経常的に交換が必要となり、必要な費用が相対して高くなる等の欠陥を発生することがない。
【００１５】
上記は、本考案の実施例というだけであり、本考案の保護範囲を限定するものではなく、本考案の複数の光ファイバー１は、各結合部１２が嵌合するか、透明接着剤（樹脂、シリコーン等）の接着等の方式で組み立て、結合成型され、複数の光ファイバー１の間を緊密に結合して光ファイバー表示スクリーン２を形成し、光ファイバー表示スクリーン２が表示するイメージ画質が良好となる目的を達せ志井、複数の光ファイバー１が鮮明なイメージを現し、分離又は断続されることがなく、光ファイバー表示スクリーンを大型表示スクリーンとする時の実用効果を向上することができ、故に前述の効果を達成することができる関連設備装置は、何れも本考案に含まれるべきであり、この種の簡易な修飾及び等価な構造の変化は、何れも本考案の保護範囲内に含まれるべきである。
【符号の説明】
【００１６】
１  光ファイバー
１００  嵌合溝
１０１  嵌合側
１１  光ファイバーロッド
１２  結合部
１２１  外層光ファイバー板
１２２  内層光ファイバー板
２  表示スクリーン
３  フレーム
３１  凸縁
３２  内嵌合溝
【図１】
0003214396.tif 000003
【図２】
0003214396.tif 000004
【図３】
0003214396.tif 000005
【図４】
0003214396.tif 000006
【図５】
0003214396.tif 000007
【図６】
0003214396.tif 000008
【図７】
0003214396.tif 000009